(57)【要約】【課題】  遠隔操作器による操作により各什器すべての施解錠を一斉に行うことができる什器群の遠隔施解錠装置を提供すること。【解決手段】  遠隔施解錠装置１の固定棚６、７、８および移動棚１１、１２の全ての什器９、１０、１３、１４に、規制部材と、施解錠手段である施解錠装置２７、２９と、制御手段である制御ユニット３１、３１’と、を設けたことにより、遠隔操作器１４の操作で各制御ユニット３１、３１’により施解錠装置２７、２９が制御され、移動棚１１、１２の位置に関係なく、各固定棚６、７、８および移動棚１１、１２すべての什器に一斉に施解錠を行うことができる。【選択図】  図１
2006016809.tif 000002
【特許請求の範囲】
【請求項１】
少なくとも内部に収容部を有するとともに、該収容部へのアプローチを規制する規制部材と、該規制部材の開放を抑止又は該抑止を解除する施解錠手段と、を備えた複数の什器からなる什器群の施解錠を、遠隔操作器から送信される旋錠或いは解錠信号に基づいて作動する制御手段を介して、遠隔にて実施可能な遠隔施解錠装置であって、
前記什器群は前後に整列した複数列の棚からなり、最後列の棚は固定棚として構成され、前記固定棚前方の複数列の棚は左右方向に移動可能な移動棚として構成され、前記移動棚は什器毎に区分けされ、前記遠隔操作器の操作により、各什器すべての施解錠手段が制御されることを特徴とする什器群の遠隔施解錠装置。
【請求項２】
最前列の移動棚を除く棚の什器には引戸が設けられ、該引戸に前記規制部材が備えられている請求項１に記載の什器群の遠隔施解錠装置。
【請求項３】
前記各什器には施解錠状態を表示する表示ランプが設けられている請求項１または２に記載の什器群の遠隔施解錠装置。
【請求項４】
最前列の移動棚における什器の前面に、前記後方の各什器の施解錠状態を表示する表示ランプが設けられている請求項１乃至３のいずれかに記載の什器群の遠隔施解錠装置。
【請求項５】
前記後方の各什器の施解錠状態を表示する表示ランプは最前列の移動棚の１つに設けられている請求項４に記載の什器群の遠隔施解錠装置。
【発明の詳細な説明】
【技術分野】
【０００１】
本発明は、少なくとも内部に収容部を有するとともに、該収容部へのアプローチを規制する規制部材と、該規制部材の開放を抑止又は該抑止を解除する施解錠手段と、を備えた複数の什器からなる什器群の施解錠を、遠隔操作器から送信される旋錠或いは解錠信号に基づいて作動する制御手段を介して、遠隔にて実施可能な遠隔施解錠装置に関する。
【背景技術】
【０００２】
従来、上下複数段で左右方向に背中合わせに並設された２列の複数の什器からなる什器群の施解錠を、遠隔操作器より遠隔にて実施可能な什器群の遠隔施解錠装置が開示されおり、複数の什器からなる什器群の施解錠を遠隔操作器より操作して、各什器の全ての施解錠を行っていた（例えば、特許文献１参照）。
【０００３】
このような従来の背中合わせに什器群が配列されているものは、背面側の什器の収容部内にある物品の出し入れに際し、廻り込まなければならないといった不便さがあった。そこで、後列を固定棚にし、前方列を移動棚とした棚装置が既に開発されている。この棚装置において、固定棚の什器の収容部に物品等の出し入れを行うには移動棚を左右方向いずれか一方側に移動させることで、収容部へのアプローチが可能な構成になっていた。
【０００４】
【特許文献１】特許第２６９８９３２号公報（第３頁左欄、第１−２図）
【発明の開示】
【発明が解決しようとする課題】
【０００５】
上記した棚装置では、前方列の移動棚を左右方向に一方側によせた時に、移動棚と重なる固定棚の什器の収容部へのアプローチが規制されるため、什器群を施錠する場合に、移動棚と重なる固定棚の什器に対しては施錠しない代わりに、移動棚を施錠しない固定棚の什器に重なるように、常に所定の位置に移動させたのち位置固定させてから、個々に所要の各什器に施錠を行っており、絶えず移動棚を所定位置に固定しなければならないという煩わしさがあった。
【０００６】
本発明は、移動棚が設けられた棚装置においても、移動棚を所定位置に移動させて固定することなく、遠隔操作器による操作により各什器すべての施解錠を一斉に行うことができる什器群の遠隔施解錠装置を提供することを目的とする。
【課題を解決するための手段】
【０００７】
上記課題を解決するために、本発明の請求項１に記載の什器群の遠隔施解錠装置は、少なくとも内部に収容部を有するとともに、該収容部へのアプローチを規制する規制部材と、該規制部材の開放を抑止又は該抑止を解除する施解錠手段と、を備えた複数の什器からなる什器群の施解錠を、遠隔操作器から送信される旋錠或いは解錠信号に基づいて作動する制御手段を介して、遠隔にて実施可能な遠隔施解錠装置であって、前記什器群は前後に整列した複数列の棚からなり、最後列の棚は固定棚として構成され、前記固定棚前方の複数列の棚は左右方向に移動可能な移動棚として構成され、前記移動棚は什器毎に区分けされ、前記遠隔操作器の操作により、各什器すべての施解錠手段が制御されることを特徴としている。
この特徴によれば、遠隔施解錠装置の固定棚および移動棚の全ての什器に規制部材と施解錠手段と制御手段とを設けたことにより、遠隔操作器の操作で移動棚の位置に関係なく各什器すべての施解錠手段が制御される。
【０００８】
本発明の請求項２に記載の什器群の遠隔施解錠装置は、請求項１に記載の什器群の遠隔施解錠装置であって、最前列の移動棚を除く棚の什器には引戸が設けられ、該引戸に前記規制部材が備えられていることを特徴としている。
この特徴によれば、最前列の移動棚を除く各列の移動棚と最後列の固定棚との各什器の規制部材を引戸にしたことにより、引戸を開扉した状態で前方列の移動棚を移動させても、前方の移動棚が引戸に当接することはない。
【０００９】
本発明の請求項３に記載の什器群の遠隔施解錠装置は、請求項１または２に記載の什器群の遠隔施解錠装置であって、前記各什器には施解錠状態を表示する表示ランプが設けられていることを特徴としている。
この特徴によれば、各什器には規制部材の施解錠状態を表示する表示ランプが設けられることで、各什器の規制部材の施解錠状態を簡単に認識できる。
【００１０】
本発明の請求項４に記載の什器群の遠隔施解錠装置は、請求項１乃至３のいずれかに記載の什器群の遠隔施解錠装置であって、最前列の移動棚における什器の前面に、前記後方の各什器の施解錠状態を表示する表示ランプが設けられていることを特徴としている。
この特徴によれば、最前列の移動棚の前面には後方列の棚の各什器における施解錠状態を表示する表示ランプが設けられているため、最前列の移動棚の後方に重なる各什器の施解錠状態を表示する表示ランプが隠蔽されていても、常に後方列の棚の各什器における施解錠状態を認識できる。
【００１１】
本発明の請求項５に記載の什器群の遠隔施解錠装置は、請求項４に記載の什器群の遠隔施解錠装置であって、前記後方の各什器の施解錠状態を表示する表示ランプは最前列の移動棚の１つに設けられていることを特徴としている。
この特徴によれば、最前列の１つの移動棚に設けられた表示ランプを見るだけで、後方列の各什器の施解錠状態を一目で視認できる。
【発明を実施するための最良の形態】
【００１２】
本発明の実施例を以下に説明する。
【実施例】
【００１３】
図１（ａ）は、本発明の実施例における什器群の遠隔施解錠装置の全体像を示す斜視図であり、図１（ｂ）は、前方列の移動棚を図１（ａ）の状態から移動させた斜視図であり、図２は、遠隔操作器から表示ランプまでの配線状態を示す概略斜視図であり、図３は、制御ユニットと配線の構造を示す平面図であり、図４は、遠隔施解錠装置の平面図であり、図５（ａ）は、移動棚の移動時におけるパンタグラフ式支持部材の可動および配線の状態を示す平面図であり、図５（ｂ）は、移動棚の移動終了におけるパンタグラフ式支持部材と配線の状態を示す平面図であり、図６（ａ）は、上下棚毎に設けられた各什器の解錠状態における各什器ランプ及び遠隔操作器における旋錠確認ランプの表示状況を示す概略図であり、図６（ｂ）は、施解錠の一斉旋錠状態における各ランプの表示状況を示す概略図であり、図７（ａ）は、一部の什器の開扉状態における各什器ランプ及び遠隔操作器における旋錠確認ランプの表示状況を示す概略図であり、図７（ｂ）は、施解錠の一斉旋錠不能状態における各ランプの表示状況を示す概略図である。
【００１４】
この遠隔施解錠装置は、主に企業の各種書類の管理室や倉庫に設置されており、各棚を構成する多段の什器毎に設けられた旋解錠手段を、後述において説明する遠隔操作器により制御可能になっている。
【００１５】
図１（ａ）に示されるように、遠隔施解錠装置１は主に複数の棚装置（本実施例では５つ）と遠隔操作器１５により構成されており、これらは載置台２に設置されている。載置台２の前方には左右方向に２本の移動レール３が敷設され、２つの棚装置である移動棚１１、１２が移動レール３に沿って移動可能に載置されており、図１（ｂ）に示されるように移動棚１１、１２が左右方向に移動できるようになっている。
【００１６】
載置台２の後方には、３つの棚装置である固定棚６、７、８が位置固定され、固定棚６の左側方には遠隔操作器１５が位置固定されている。遠隔操作器１５の正面の中間部には、施解錠確認ランプ１６と施解錠釦１７が設けられ、下部には電源表示ランプ１８と電源キースイッチ１９が設けられている。遠隔施解錠装置１の起動または終了は、電源キースイッチ１９の押操作により制御を行うことができ、電源キースイッチ１９のＯＮ状態の場合には電源表示ランプ１８が点灯され、電源キースイッチ１９のＯＦＦ状態の場合には電源表示ランプ１８が消灯される。
【００１７】
移動棚１１、１２は上下段にそれぞれ設けられた上段什器１３と下段什器１４から構成され、各什器毎に収容部へのアプローチが規制できる従来公知の両開き式扉や引出し（規制部材）が備えられている。同様に固定棚６、７、８も上段什器９と下段什器１０から構成され、各什器毎に収容部へのアプローチが規制できる従来公知の引戸（規制部材）が備えられている。規制部材にアプローチの規制がされていない場合には、各什器９、１０、１３、１４の扉に形成された手掛部から扉を開放して、収容部にアプローチでき書類・書籍やファイル等の格納を行えるようになっている。しかも、固定棚６、７、８の扉は引戸構造となっているので、移動棚１１、１２を左右方向に繰り返し移動させた場合でも当接して破損させることはない。
【００１８】
移動棚１１の前端上部には表示板２３が立設されており、後述において詳述する後列左方上段什器用ランプ２４と後列左方下段什器用ランプ２５を上下に設けており、同様に移動棚１２の前端上部には表示板２３が立設され、中央部の上下に後列中央上段什器用ランプ２４’と後列中央下段什器用ランプ２５’、右端部の上下に後列右方上段什器用ランプ２４’’と後列右方下段什器用ランプ２５’’がそれぞれ設けられている。固定棚６，７，８の上段什器９の上部前面には転倒防止レール４が左右方向に設けられ、移動棚１１、１２の上部背面に設けられた図示しない転倒防止突条が転倒防止レール４に摺動可能に係合され地震等による転倒が防止されている。
【００１９】
固定棚６、７、８および移動棚１１、１２の上段什器９、１３には、それぞれ上段什器ランプ２６と、電子錠機能を備えた上段施解錠装置（施解錠手段）２７が設けられており、同様に、固定棚６、７、８および移動棚１１、１２の下段什器１０、１４には、それぞれ下段什器ランプ２８と、電子錠機能を備えた下段施解錠装置（施解錠手段）２９が設けられている。これら上下段施解錠装置２７，２９は扉の開放を抑止又は抑止の解除を行う係止部材４７（図１において破線で表示）を含み、施解錠装置が施開錠信号を受けるか、マニュアルキーで施開錠操作されることにより、係止部材４７を作動して扉の開放を抑止又は抑止の解除を行うことができる。
【００２０】
固定棚６の上面６ａには後述において詳述する制御ユニット３１’が設置され、固定棚７、８の上面７ａ、８ａには後述において詳述する制御ユニット３１、３１’がそれぞれ設置されている。固定棚７の上面７ａから移動棚１１の上面１１ａに後述する配線支持部材であるパンタグラフ式支持部材３７が架設されており、固定棚８の上面８ａから移動棚１２の上面１２ａにも同様のパンタグラフ式支持部材３７’が架設されている。
【００２１】
上段施解錠装置２７および下段施解錠装置２９が旋錠されると、それぞれ対応する係止部材４７が係止作用して、各々の扉の開扉が不能となり（扉の開放が抑止・・・規制部材へのアプローチが規制される）、上段施解錠装置２７および下段施解錠装置２９が解錠されると、それぞれ対応する係止部材４７の係止作用が解除され（扉の開放の抑止の解除）、各々の扉の開扉が可能となる。扉の開扉不能状態においては、上段什器ランプ２６および下段什器ランプ２８が消灯され、扉の開扉可能状態においては、上段什器ランプ２６および下段什器ランプ２８が点灯された状態になる。
【００２２】
上段施解錠装置２７および下段施解錠装置２９は、手動の鍵操作によって外部から施解錠を行うこともできるが、一斉に行う場合には、遠隔操作器１５の施解錠釦１７の操作による旋錠信号に基づいて、上段施解錠装置２７および下段施解錠装置２９の旋錠が行われ、扉の開扉を可能にするには再度、施解錠釦１７の操作による解錠信号に基づいて、上段施解錠装置２７および下段施解錠装置２９が解錠される。
【００２３】
上記において説明した各固定棚６、７、８および移動棚１１、１２に設けられた上段什器ランプ２６、下段什器ランプ２８、上段施解錠装置２７、下段施解錠装置２９、後列上段什器ランプ２４、２４’、２４’’、後列下段什器ランプ２５、２５’、２５’’、制御ユニット３１、３１’と、遠隔操作器１５の施解錠確認ランプ１６、施解錠釦１７、電源表示ランプ１８、電源キースイッチ１９の配線接続について以下に説明する。
【００２４】
図２に示されるように、固定棚６、７、８に設けられた上段什器ランプ２６、下段什器ランプ２８、上段施解錠装置２７、下段施解錠装置２９には、旋錠信号および解錠信号等の各種信号の送受信を行う信号ケーブルと、電力を供給する給電ケーブルと、を含む通信ケーブル５が各々接続され什器内に内部配線されており、配線孔９ｃを介して各固定棚６、７、８の上面６ａ、７ａ、８ａに設けられた制御ユニット３１’に接続され、固定棚７、８の制御ユニット３１’と隣接する制御ユニット３１も通信ケーブル５で接続されている。
【００２５】
同様に、移動棚１１、１２に設けられた上段什器ランプ２６、下段什器ランプ２８、上段施解錠装置２７、下段施解錠装置２９には、通信ケーブル５が各々接続され什器内に内部配線されており、配線孔１３ｃを介してパンタグラフ式支持部材３７、３７’に配線され、固定棚７、８各上面７ａ、８ａに設けられた制御ユニット３１に接続されている。
【００２６】
同じく、移動棚１１の表示板２３に設けられた後列左方上段什器用ランプ２４と後列左方下段什器用ランプ２５にも通信ケーブル５が各々接続されており、パンタグラフ式支持部材３７を介して制御ユニット３１に接続され、移動棚１２の表示板２３に設けられた後列上段什器ランプ２４’、２４’’と後列下段什器ランプ２５’、２５’’にも通信ケーブル５が各々接続されており、パンタグラフ式支持部材３７’を介して、制御ユニット３１に接続されている。
【００２７】
固定棚８の制御ユニット３１と固定棚７の制御ユニット３１’は通信ケーブル５で接続され、固定棚７の制御ユニット３１と固定棚６の制御ユニット３１’は通信ケーブル５で接続されている。固定棚６の制御ユニット３１’には別途通信ケーブル５が接続され、遠隔操作器１５に設けられた後述のコントローラユニット２０に接続されている。
【００２８】
遠隔操作器１５の施解錠確認ランプ１６、施解錠釦１７、電源表示ランプ１８、電源キースイッチ１９には、通信ケーブル５が接続され内部配線されて、内部に設けられたコントローラユニット２０に接続されている。遠隔操作器１５の下部には電源供給用のＡＣアダプター２１が設置されコントローラユニット２０に接続されている。つまり、施解錠確認ランプ１６、施解錠釦１７、電源表示ランプ１８、電源キースイッチ１９からの旋錠信号および解錠信号等の各種信号の制御およびＡＣアダプター２１からの給電制御がコントローラユニット２０により行われる構成となっている。
【００２９】
なお、固定棚６、７、８および移動棚１１、１２の上部の外周には、遮蔽板２２が上方に立設され取り付けられており、制御ユニット３１、３１’や通信ケーブル５の配線、パンタグラフ式支持部材３７、３７’を外部から露見させない構成になっており、外部からの見栄えが良くなるだけでなく、制御ユニット３１、３１’や通信ケーブル５を外部から保護できる（図１参照）。
【００３０】
次いで、制御ユニット３１、３１’について詳細に説明すると、まず図３に示される制御ユニット３１、３１’は、基板３２に旋錠信号および解錠信号等の各種信号の制御が行われるＭＰＵ３３、各什器毎９、１０、１３、１４に対応して固有に番号（ＩＤ）が設定される設定スイッチ３４、左右に２箇所に通信ケーブル５が接続される接続コネクタ３５、３６が、それぞれ設けられ、図示しない透明プラスチック製の保護カバーで保護されている。
【００３１】
制御ユニット３１の左方の接続コネクタ３５には、移動棚１１、１２の上段什器１３に設けられた上段什器ランプ２６、上段施解錠装置２７、表示板２３に設けられた後列上段什器用ランプ２４、２４’、２４’’、後列下段什器等ランプ２５、２５’、２５’’、からの通信ケーブル５がそれぞれ接続されている。右方の接続コネクタ３５には、移動棚１１、１２の下段什器１４に設けられた下段什器ランプ２８、下段施解錠装置２９、からの通信ケーブル５がそれぞれ接続されている。
【００３２】
制御ユニット３１’の右方の接続コネクタ３５には、固定棚６、７、８の各上段什器９に設けられた上段什器ランプ２６、上段施解錠装置２７からの通信ケーブル５、がそれぞれ接続されており、左方の接続コネクタ３５には、固定棚６、７、８の下段什器１０に設けられた下段什器ランプ２８、下段施解錠装置２９からの通信ケーブル５、がそれぞれ接続されている。
【００３３】
制御ユニット３１の左方の接続コネクタ３６に接続される通信ケーブル５は、制御ユニット３１’の右方の接続コネクタ３６に接続されおり、制御ユニット３１の右方の接続コネクタ３６に接続される通信ケーブル５は、隣接する制御ユニット３１’の左方の接続コネクタ３６に接続される。
【００３４】
したがって、固定棚７に載置した制御ユニット３１によって移動棚１１の上段什器ランプ２６、上段施解錠装置２７、下段什器ランプ２８、下段施解錠装置２９、後列左方上段什器用ランプ２４、後列左方下段什器用ランプ２５の制御が行われ、固定棚８に載置した制御ユニット３１によって移動棚１２の上段什器ランプ２６、上段施解錠装置２７、下段什器ランプ２８、下段施解錠装置２９、後列の中央と右方上段什器用ランプ２４’、２４’’、後列の中央と右方下段什器用ランプ２５’、２５’’の制御が行われる。そして、各固定棚６、７、８毎に設けられた制御ユニット３１’によって、それぞれ対応する固定棚の什器の上段什器ランプ２６、上段施解錠装置２７、下段什器ランプ２８、下段施解錠装置２９、の制御が行われる。
【００３５】
このように、１台の制御ユニット３１で一つの移動棚の上下に重なる上段什器１３と下段什器１４の制御を行うことができ、１台の制御ユニット３１’で一つの固定棚の上下に重なる上段什器９と下段什器１０の制御を行うことができるので、固定棚の上面の省スペース化が図れる。
【００３６】
また、制御ユニット３１、３１’を固定棚６、７、８の最上部に位置する上段什器９の上面６ａ、７ａ、８ａに設けたことにより、制御ユニット３１、３１’の着脱を固定棚６、７、８の最上部から簡便に行えるとともに、制御ユニット３１、３１’や、その周囲の通信ケーブル５等のメンテナンスも容易に行える。
【００３７】
次に、パンタグラフ式支持部材３７、３７’について具体的に説明する。図４に示されるように、パンタグラフ式支持部材３７、３７’は、配線支持部材である２本の配線ダクト３８、３９から主に構成されている。配線ダクト３８、３９には図示しない軸孔を設けた枢着部３８ａ、３９ａが形成され、軸４０で互いの枢着部３８ａ、３９ａが回動可能に軸支されており、軸４０を中心に互いの配線ダクト３８、３９を屈曲させ、または伸長させることが可能な屈曲自在性を有している。配線ダクト３８、３９の他端内側には上下に延設された枢着部材４１、４２の上部がそれぞれ溶接されている。
【００３８】
配線ダクト３８、３９は、金属スチール材の折り曲げ加工で底板３８ｘ、３９ｘと２つの側板３８ｙ、３９ｙを形成させ上方に開口するように構成されているので、配線ダクト３８、３９の開口から通信ケーブル５を容易に設置して配線を行えるとともに、通信ケーブル５に伴うメンテナンスを容易に行える。
【００３９】
配線ダクト３８、３９の枢着部３８ａ、３９ａの近傍であって、屈曲部外方の側板３８ｙ、３９ｙは切り欠かれて空隙部３８ｂ、３９ｂが形成されており、配線ダクトの屈曲時に、配線ダクト３８、３９内の枢着部３８ａ、３９ａ近傍に配線される通信ケーブル５を空隙部３８ｂ、３９ｂから外方へと逃がすことができるので、配線ダクト３８、３９の側板との干渉による通信ケーブル５の損傷が未然に防止さる。
【００４０】
パンタグラフ式支持部材３７、３７’の固定棚７、８と移動棚１１、１２への架設について以下に説明すると、パンタグラフ式支持部材３７、３７’の枢着部材４１の下部を上面７ａ、８ａにそれぞれ設けた取付部材９ｂに回動可能に支軸させ、枢着部材４２の下部を上面１１ａ、１２ａにそれぞれ設けた取付部材１３ｄに回動可能に支軸させることで、パンタグラフ式支持部材３７を固定棚７と移動棚１１に上面「く」字状に屈曲された状態で架設させ、パンタグラフ式支持部材３７’を固定棚８と移動棚１２に上面「く」字状に屈曲された状態で架設させている。
【００４１】
なお、パンタグラフ式支持部材３７、３７’の配線ダクト３８、３９は枢着部材４１、４２の上部に溶接されているので、上面７ａ、８ａ、１１ａ、１２ａよりも上方に離間させることができ、制御ユニット３１、３１’との当接や、通信ケーブル５との絡みが未然に防止される。
【００４２】
次いで、移動棚１１、１２の移動におけるパンタグラフ式支持部材３７、３７’の可動状態について説明する。図５（ａ）に示されるように、固定棚７の前方に位置する移動棚１１を左方に移動させていくと、パンタグラフ式支持部材３７の枢着部材４１、４２が回動されていき、パンタグラフ式支持部材３７の中央の枢着部３８ａ、３９ａに位置する軸４０を中心に配線ダクト３８と配線ダクト３９の屈曲の間隔が徐々に離間されていく。さらに、移動棚１１を固定棚６の前方位置に重なるように移動させると、配線ダクト３８と配線ダクト３９が略一本のダクトとなるように伸長された状態となる。
【００４３】
再度、移動棚１１を元の位置である固定棚７の前方位置に重なるように移動させると、配線ダクト３８と配線ダクト３９の互いの枢着部３８ａ、３９ａの軸４０を中心に回動され、パンタグラフ式支持部材３７が上面「く」字状に屈曲される。同様にパンタグラフ式支持部材３７’についても、図５（ｂ）に示されるように移動棚１２を固定棚８の前方位置から固定棚７の前方位置に重なるように移動させることで、配線ダクト３８と配線ダクト３９が上面「く」字状の屈曲状態から略一本のダクトとなるように伸長された状態となる。
【００４４】
このように、２つの配線ダクト３８、３９の枢着部３８ａ、３９ａ同士を軸支したパンタグラフ式支持部材３７、３７’により、移動棚１１、１２を左右方向に移動させた際には、互いの配線ダクト３８、３９が伸長或いは中央の枢着部３８ａ、３９ａで屈曲され、配線ダクト３８、３９の動きが常に一定となるので、配線ダクト３８、３９内に配設された通信ケーブル５に無理な外圧が加わりにくく長期の使用が可能となる。
【００４５】
しかも、固定棚７、８に移動棚１１、１２の上段什器１３および下段什器１４を制御する制御ユニット３１を設けることで、移動棚１１、１２の移動による衝撃や振動による影響を制御ユニット３１に生じさせることはなく、常に安定した制御を行わせることができるとともに、制御ユニット３１は制御ユニット３１’の近傍に設置されるので、接続される通信ケーブル５の配線処理も複雑にならず、什器群の施解錠のすべてを遠隔操作器１５の施解錠釦１７より操作可能であり、且つ制御ユニット３１、３１’のメンテナンス等をすべて固定棚側で行うことができるので作業効率が高められる。
【００４６】
したがって、通信ケーブル５をパンタグラフ式支持部材３７、３７’内に配線させることで、通信ケーブル５が外部から保護されるとともに、パンタグラフ式支持部材３７、３７’の屈曲性により移動棚１１、１２の左右方向への移動が繰り返し行われても、通信ケーブル５と制御手段である制御ユニット３１との接続部の接触不良や破損、それらの要因により生じる通信エラーの発生等を未然に防ぐことができるので、遠隔操作器１５の施解錠釦１７の操作により、移動棚１１、１２側の什器群の施解錠も確実に行える。
【００４７】
次に、施解錠釦１７の押操作に基づく、什器群の施解錠制御にともなう各種ランプの点灯・消灯の制御について、図６、７に基づき以下具体的に説明する。まず、図６（ａ）に示されるように、上段什器６、１３の上段施解錠装置２７が開錠信号を受け係止部材４７（図１参照）の係止作用が解除され、扉が解錠されている場合には、その什器６、１３に対応して設けられた上段表示ランプ２６が点灯制御されるようになっており、下段什器１０、１４についても同様の構成になっているので説明を省略する。上段施解錠装置および下段施解錠装置のうち、少なくとも１つの施解錠装置が解錠されている場合には、遠隔操作器１５の施解錠確認ランプ１６は消灯され解錠状態にあることを知る。
【００４８】
そして、移動棚１１の後列左方上段什器用ランプ２４は、固定棚６の上段什器ランプ２６に連動して点灯制御され、後列左方下段什器用ランプ２５は、固定棚６の下段什器ランプ２８に連動して点灯制御されている。同様に移動棚１２の後列中央上段什器用ランプ２４’は、固定棚７の上段什器ランプ２６に連動して点灯制御され、後列中央下段什器用ランプ２５’は、固定棚７の下段什器ランプ２８に連動して点灯制御されている。同じく、移動棚１２の後列右方上段什器用ランプ２４’’は、固定棚８の上段什器ランプ２６に連動して点灯制御され、後列右方下段什器用ランプ２５’’は、固定棚８の下段什器ランプ２８に連動して点灯制御されている。
【００４９】
図６（ｂ）に示されるように、すべての什器９、１０、１３、１４の扉が閉扉された状態で、遠隔操作器１５の施解錠釦１７が押操作（ＯＮ操作）されると、すべての上段施解錠装置２７および下段施解錠装置２９が制御され、係止部材４７（図１参照）の係止作用で一斉に旋錠されるとともに、すべての上段什器ランプ２６および下段什器ランプ２８が一斉に消灯される。
【００５０】
そして、移動棚１１の後列左方上段什器用ランプ２４は、固定棚６の上段什器ランプ２６に連動して消灯制御され、後列左方下段什器用ランプ２５は、固定棚６の下段什器ランプ２８に連動して消灯制御される。同様に移動棚１２の後列中央上段什器用ランプ２４’は、固定棚７の上段什器ランプ２６に連動して消灯制御され、後列中央下段什器用ランプ２５’は、固定棚７の下段什器ランプ２８に連動して消灯制御される。同じく、移動棚１２の後列右方上段什器用ランプ２４’’は、固定棚８の上段什器ランプ２６に連動して消灯制御され、後列右方下段什器用ランプ２５’’は、固定棚８の下段什器ランプ２８に連動して消灯制御される。
【００５１】
これら上段施解錠装置２７および下段施解錠装置２９と、上段什器ランプ２６および下段什器ランプ２８と、後列上段什器用ランプ２４、２４’、２４’’と、後列下段什器用ランプ２５、２５’、２５’’の表示ランプの制御が完了したのち、施解錠確認ランプ１６が点灯され遠隔施解錠装置１の旋錠が完了となる。再度、施解錠釦１７が押操作されると、各制御ユニット３１、３１’により上段施解錠装置２７および下段施解錠装置２９が制御され、各固定棚６、７、８および移動棚１１、１２すべての規制部材の規制が解除され、扉を開扉可能な状態にすることができるが、開錠の場合には、什器の占有者が個々にマニュアルキーを持ち、自分が占有する什器の施解錠装置を開錠するようにする利用も可能である。
【００５２】
このように、遠隔施解錠装置１の固定棚６、７、８および移動棚１１、１２の全ての上段什器９、１３および下段什器１０、１４に、扉等の規制部材と、施解錠手段である上段施解錠装置２７および下段施解錠装置２９と、制御手段である制御ユニット３１、３１’と、を設けたことにより、遠隔操作器１４の施解錠釦１７の操作で各制御ユニット３１、３１’により上段施解錠装置２７および下段施解錠装置２９が制御され、移動棚１１、１２の位置に関係なく各固定棚６、７、８および移動棚１１、１２すべての什器群の一斉施解錠を行うことができる。
【００５３】
次いで、図７（ａ）に示されるように、固定棚７の上段什器９と固定棚８の下段什器１０の一部の扉が開扉され、それぞれの収容部３０内にアプローチ可能な状態において、遠隔操作器１５の施解錠釦１７が押操作（ＯＮ操作）されると、固定棚７の上段什器９および固定棚８の下段什器１０以外の上段施解錠装置２７および下段施解錠装置２９が作動して旋錠されると共に、固定棚７の上段什器９および固定棚８の下段什器１０以外の上段什器ランプ２６および下段什器ランプ２８が消灯される。
【００５４】
しかし、固定棚７の上段什器９および固定棚８の下段什器１０の扉は開扉された状態なので旋錠されずに、固定棚７の上段什器ランプ２６および固定棚８の下段什器ランプ２８の点灯状態が維持される。したがって、移動棚１２の後列中央上段什器用ランプ２４’と後列右方下段什器用ランプ２５’’も点灯状態が維持される。
【００５５】
つまり、遠隔操作器１５の施解錠釦１７が押操作（ＯＮ操作）された場合であっても、少なくとも一つの什器扉の旋錠を行えない場合には一斉旋錠不能状態となり、施解錠確認ランプ１６が点滅され外部に報知される。そして、固定棚７、８の前方に移動棚１１、１２が重なった位置に移動されていた場合であっても、移動棚１２の後列中央上段什器用ランプ２４’と後列右方下段什器用ランプ２５’’の点灯により、容易に固定棚７の上段什器９および固定棚８の下段什器１０の扉が開扉された状態であることが認識できる。
【００５６】
このように、固定棚６、７、８および移動棚１１、１２の什器群にはそれぞれ什器ランプが設けられることで、これらランプの点灯または消灯により、各什器９、１０、１３、１４の解錠または旋錠状態を簡単に認識でき、さらに移動棚１１の上部の表示板２３に後列上段什器ランプ２４、後列左方下段什器用ランプ２５が設けられ、移動棚１２の表示板２３に後列中央什器用ランプ２４’、２５’および後列右方什器用ランプ２４’’、２５’’が設けられ、点灯および消灯制御されることにより、移動棚１１、１２が左右方向に移動され、後方の重なる位置の固定棚６、７、８のそれぞれに設けられた上段什器ランプ２６および下段什器ランプ２８が隠蔽された場合においても、常に固定棚６、７、８の上段什器９および下段什器１０の旋錠あるいは解錠状態を把握できる。
【００５７】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、後方列の固定棚６、７、８の上段什器ランプ２６および下段什器ランプ２８に対応して、前方列の移動棚１１の表示板２３に後列左方上段什器用ランプ２４と後列左方下段什器用ランプ２５を設け、前方列の移動棚１２の表示板２３に後列中央什器用ランプ２４’、２５’および後列右方什器用ランプ２４’’、２５’’を設けているが、本発明はこれに限定されるものではなく、移動棚１１、１２のいずれか１つの表示板２３に後列上段什器用ランプ２４、２４’、２４’’と後列下段什器用ランプ２５、２５’、２５’’を設けるようにしても良く、このようにすれば固定棚６、７、８の上段什器９および下段什器１０の施解錠状態を１つの表示板２３だけで視認できる。
【００５８】
また、上記実施例では、固定棚６、７、８の上段什器９および下段什器１０の扉はスライドの引戸構造が適用されることで扉を開扉させた状態でも、前方に位置する移動棚１１、１２が左右方向に移動された際に当接することがないことから好ましいが、本発明はこれに限定されるものではなく、例えば後方列の固定棚６、７、８と前方列の移動棚１１、１２とがある程度の間隔を置いて配設されているならば、移動棚と当接しない限り固定棚６、７、８の什器に開き扉構造を採用しても良い。
【図面の簡単な説明】
【００５９】
【図１】（ａ）は、本発明の実施例における什器群の遠隔施解錠装置の全体像を示す斜視図であり、（ｂ）は、前方列の移動棚を図１（ａ）の状態から移動させた斜視図である。
【図２】遠隔操作器から表示ランプまでの配線状態を示す概略斜視図である。
【図３】制御ユニットと配線の構造を示す平面図である。
【図４】遠隔施解錠装置の平面図である。
【図５】（ａ）は、移動棚の移動時におけるパンタグラフ式支持部材の可動および配線の状態を示す平面図であり、（ｂ）は、移動棚の移動終了におけるパンタグラフ式支持部材と配線の状態を示す平面図である。
【図６】（ａ）は、上下棚毎に設けられた各什器の解錠状態における各什器ランプ及び遠隔操作器における旋錠確認ランプの表示状況を示す概略図であり、（ｂ）は、施解錠の一斉旋錠状態における各ランプの表示状況を示す概略図である。
【図７】（ａ）は、一部の什器の開扉状態における各什器ランプ及び遠隔操作器における旋錠確認ランプの表示状況を示す概略図であり、（ｂ）は、施解錠の一斉旋錠不能状態における各ランプの表示状況を示す概略図である。
【符号の説明】
【００６０】
１                      遠隔施解錠装置
５                      通信ケーブル（給電ケーブル及び信号ケーブルを含む）
６、７、８              固定棚
６ａ、７ａ、８ａ        上面
９                      上段什器
９ｃ                    配線孔
１０                    下段什器
１１、１２              移動棚
１１ａ、１２ａ          上面
１３                    上段什器
１３ｃ                  配線孔
１４                    下段什器
１５                    遠隔操作器
１６                    施解錠確認ランプ
１７                    施解錠釦
１８                    電源表示ランプ
１９                    電源キースイッチ
２０                    コントローラユニット
２２                    遮蔽板
２３                    表示板
２４、２４’、２４’’    後列上段什器用ランプ
２５、２５’、２５’’    後列下段什器用ランプ
２６                    上段什器ランプ
２７                    上段施解錠装置（施解錠手段）
２８                    下段什器ランプ
２９                    下段施解錠装置（施解錠手段）
３０                    収容部
３１、３１’            制御ユニット（制御手段）
３７、３７’            パンタグラフ式支持部材（配線支持部材）
４７                    係止部材
【図１】
2006016809.tif 000003
【図２】
2006016809.tif 000004
【図３】
2006016809.tif 000005
【図４】
2006016809.tif 000006
【図５】
2006016809.tif 000007
【図６】
2006016809.tif 000008
【図７】
2006016809.tif 000009